(57)【特許請求の範囲】
【請求項１】
方形のパネル本体と、少なくとも下端が開口する袋状をなすとともに、前記パネル本体のほぼ全面を覆うようにパネル本体に被嵌され、かつ開口部に開閉自在なファスナーが設けられた表皮材とを備え、前記パネル本体が、方形枠状をなすフレームと、このフレームの内側の全面または一部に保持されたピン刺し可能な材質で構成された板体とを備え、さらに、前記表皮材に覆われたフレームに、取付け具としての止めねじ等と螺合するねじ孔を設け、かつ前記表皮材におけるパネル本体のねじ孔と対応する箇所に、止めねじ等が挿通しうる取付け具挿通孔を設け、前記止めねじ等を、前記取付け具挿通孔を挿通させて、前記ねじ孔に螺合しうるようにしたことを特徴とする表皮材付きパネル。
【請求項２】
表皮材の開口部を、パネル本体の下端を通って、両側縁部に至る範囲の全体または一部に亘って形成した請求項１記載の表皮材付きパネル。
【請求項３】
板体を、木質材により形成した請求項１または２記載の表皮材付きパネル。
【請求項４】
表皮材を布製とした請求項１〜３のいずれかに記載の表皮材付きパネル。
【請求項５】
表皮材における取付け具挿通孔を、ボタン孔状とした請求項１〜５のいずれかに記載の表皮材付きパネル。
【発明の詳細な説明】
【０００１】
【発明の属する技術分野】
本発明は、テーブルの天板の側縁や後縁に、間仕切りまたは目隠し等として使用される縦型のパネルに係り、特に表面が布等の表皮材で覆われた表皮材付きパネルに関する。
【０００２】
【従来の技術】
この種の表皮材付きパネルは、遮音機能または遮光性等に優れた特徴を有することから、オフィス等において多く利用されている。
このパネルは一般に、テーブルに装着されるパネル本体と、このパネル本体の表面に接着剤等によって貼着された化粧用の表皮材とによって構成されている。
【０００３】
なお、パネル本体がフレームと、これに組付けられた板体とからなり、その板体の部分に表皮材を一体的に装着したタイプのものもある。
【０００４】
【発明が解決しようとする課題】
上述した従来の表皮材付きパネルでは、表皮材がパネル本体の全体または板体に対して一体的に装着されているため、種々の不便がある。
例えば、パネル表面の汚れや変色等に対して表皮材を交換する場合、大掛かりな張り替え作業や、板体毎の交換等が必要であり、これが面倒である場合にはパネル全体を交換している。
【０００５】
また、趣向の変化あるいはオフィスのレイアウト変更や転居等の際の採光状態の変化等に伴い、表皮材の色彩や模様等を変更する場合も同様である。
表皮材が繊維質であるような場合、衛生面等を考慮して洗浄しようとしても、パネル本体等に装着したままで行わなければならいため面倒であり、場合によって接着剤が剥離する等の不具合もある。
さらに、パネルの廃棄処分等に際し、金属製パネル本体と繊維製表皮材とを分別するために多くの手間が必要となる等、処分上での不便もある。
【０００６】
本発明は、上述の問題点に鑑み、表皮材をパネル本体に対して容易に着脱でき、それにより種々の変更使用や洗浄等についての利便性を向上し、さらに廃棄処分時の分別も容易に行えるようにした表皮材付きパネルを提供することを目的としている。
【０００７】
【課題を解決するための手段】
本発明によると、上記課題は、次のようにして解決される。
【０００８】
（１）方形のパネル本体と、少なくとも下端が開口する袋状をなすとともに、前記パネル本体のほぼ全面を覆うようにパネル本体に被嵌され、かつ開口部に開閉自在なファスナーが設けられた表皮材とを備え、前記パネル本体が、方形枠状をなすフレームと、このフレームの内側の全面または一部に保持されたピン刺し可能な材質で構成された板体とを備え、さらに、前記表皮材に覆われたフレームに、取付け具としての止めねじ等と螺合するねじ孔を設け、かつ前記表皮材におけるパネル本体のねじ孔と対応する箇所に、止めねじ等が挿通しうる取付け具挿通孔を設け、前記止めねじ等を、前記取付け具挿通孔を挿通させて、前記ねじ孔に螺合しうるようにする。
【０００９】
（２）上記(１)項において、表皮材の開口部を、パネル本体の下端を通って、両側縁部に至る範囲の全体または一部に亘って形成する。
【００１０】
（３）上記(１)項または(２)項において、板体を、木質材により形成する。
【００１１】
（４）上記(１)〜(３)項のいずれかにおいて、表皮材を布製とする。
【００１２】
（５）上記(１)〜(４)項のいずれかにおいて、表皮材における取付け具挿通孔を、ボタン孔状とする。
【００１３】
【発明の実施の形態】
以下、本発明の実施形態について図面を参照して説明する。
【００１４】
図１は、表皮材付きパネルの一構成例を示す分解斜視図であり、図２は、テーブルへの装着状態を示す斜視図である。
【００１５】
図１に示すように、この表皮材付きパネル(１)は、正面視方形のパネル本体(２)と、このパネル本体(２)の全面をほぼ密接状態で被覆する偏平な四角形の袋状の表皮材(３)とからなっている。
パネル本体(２)は、正面視方形枠状をなす金属製のフレーム(４)と、このフレーム(４)の内側の全面に取付けれらた四角形の板体(５)とからなっている。
【００１６】
フレーム(４)は、左右１対の側枠(4a)(4a)と、その上下の端部に連結される上枠(4b)及び下枠(4c)と、これらの側枠(4a)と上下枠(4b)(4c)とのコーナー部分に配されるコーナー部材(4d)とからなり、各部材(4a)〜(4d)は内縁側が凹んだチャンネル材で構成されている。このうち、左右の側枠(4a)(4a)には、テーブル取付け具としての止めねじ等と螺合するための複数のねじ孔(６)が、上下方向に適宜の間隔をもって穿設されている。
【００１７】
板体(５)は、その周辺をフレーム(４)の内側の凹部に嵌合することにより、フレーム(４)に一体的に固着されている。この板体(５)は、ピン刺し可能な材質、例えば発泡合成樹脂材、木材、またはいわゆるインシュレーションボード等の木片圧縮成形体等により形成するのがよい。
【００１８】
パネル本体(２)の表面を覆う表皮材(３)は、方形の偏平な布を２つ折りとして、パネル本体(２)に上方より被せ、パネル本体(２)の両側縁部から下側縁部の全体に亘る長い開口部(７)に装着したファスナー(８)の１対の閉具(8a)を閉じることにより、パネル本体(２)全体を覆うようにしてある。
【００１９】
なお、ファスナー(８)は、上述のようなジッパー式のものだけでなく、例えば面ファスナーやホック式のもの等を用いることができる。
【００２０】
この表皮材(３)は、例えば織物、フェルト等の布製か、または合成樹脂材料によって構成され、画鋲等のピンを容易に差し込むことができるようになっている。  表皮材(３)の一側面におけるパネル本体(２)のねじ孔(６)と対応する個所には、ボタン孔状をなし、かつパネル本体(２)をテーブルに取付ける止めねじ等の取付け具が挿通しうる複数の取付け具挿通孔(９)が上下方向に適宜の間隔をもって形成されている。
【００２１】
このような構成の表皮材付きパネル(１)は、パネル本体(２)に表皮材(３)を被せ、ファスナー(８)によって閉じた状態で、図２に示すように、テーブル(10)に装着することができる。即ち、テーブル(10)は、その後部に位置する１対の脚(11)(11)の上部にブラケット(12)及び止めねじ(13)等よりなるテーブル取付け具(14)を備えており、この止めねじ(13)を、表皮材(３)の取付け具挿通孔(９)を通して、パネル本体(２)のねじ孔(６)に螺合することにより、表皮材付きパネル(１)を一体的に固定することができる。
【００２２】
表皮材付きパネル(１)をテーブル(10)から外すには、止めねじ(13)をパネル本体(２)のねじ孔(６)から外すだけでよく、また、図１に示すように、ファスナー(８)を開操作して、表皮材(３)を下端部から両側上部にかけて開き、パネル本体(２)から簡単に取り外すことができる。
【００２３】
したがって、本実施形態の表皮材付きパネル(１)によれば、表皮材(３)をパネル本体(２)に対して極めて容易に着脱することができるので、例えばパネル表面の汚れや変色等に対して、表皮材(３)を交換する場合、あるいは趣向の変化やオフィスのレイアウト変更や転居等の際の採光状態の変化等に伴い、表皮材の色彩や模様等を変更する場合に、従来のように大掛かりな張り替え作業や、板体毎の交換等を必要とせず、これらの操作を容易に行うことができる。また、表皮材(３)の洗浄も着脱により容易に行える。
【００２４】
さらに、パネルの廃棄処分等に際し、金属等を有するパネル本体(２)と布製等の表皮材(３)とを簡単に分離することができ、分別廃棄に寄与することができる。
【００２５】
図３は、前記実施形態の変形例を示す。
この変形例では、表皮材(３)の開口部(７)が、左右の両側上部から下側縁部の一部に亘る１対の短いものとなっている。そして、各開口部(７)に対してファスナー(８)の閉具(8a)をそれぞれ１対ずつ設けてある。なお、パネル本体(２)の板体(５)は、上半分程度の幅狭なものとされている。他の構成は図１のものと同様であるが、例えば取付け具挿通孔は設けられていない。
【００２６】
このような図３の構成においては、表皮材(３)を、パネル本体(２)に対して横方向からの移動によって着脱することができる。
また、例えば、図３に示すように、水平の支軸(15)の先端に取付金具(16)をＴ字状に固着してなるテーブル取付け具(17)における上記取付金具(16)を、表皮材付きパネル(１)の左右の側端面にねじ止めし、各開口部(７)に設けたファスナー(８)の閉具(8a)を、テーブル取付け具(17)の支軸(15)に当接するまで上下から閉じるようにすることにより、ボタン孔状の取付け具挿通孔(９)を省略することができる。支軸(15)の基端部は、図示を省略したが、適宜の取付け金具（図示略）をもって脚(11)またはテーブル(10)の一部に固着される。
このような図３の構成によっても、図１の構成のものとほぼ同様の効果が奏される。
【００２７】
【発明の効果】
本発明によれば下記の効果が奏される。
請求項１記載の発明によれば、表皮材をパネル本体に被せてファスナーを緩めるだけで容易に装着でき、逆に、ファスナーを開いて、表皮材をパネル本体から簡単に取り外すことができ、それにより種々の変更使用や洗浄等についての利便性を向上でき、さらに廃棄処分時の分別も容易に行える。
また、ピンの差込みによる使用に利便性のあるものとすることができる。
【００２８】
請求項２記載の発明によれば、表皮材のパネル取付け方向、あるいはテーブル等への取付け方向等を種々選択することができる。
【００２９】
請求項３または４記載の発明によれば、ピンの差込みによる使用に利便性のあるものとすることができる。
【００３０】
請求項５記載の発明によれば、テーブルへの取付けを表皮材の破損なく、体裁よく行うことができる。
【図面の簡単な説明】
【図１】  本発明による表皮材付きパネルの一実施形態を示す分解斜視図である。
【図２】  図１の表皮材付きパネルを取り付けたテーブルを示す斜視図である。
【図３】  本発明の表皮材付きパネルの変形例を示す分解斜視図である。
【符号の説明】
(１)表皮材付きパネル
(２)パネル本体
(３)表皮材
(４)フレーム
(4a)側枠
(4b)上枠
(4c)下枠
(4d)コーナー部材
(５)板体
(６)ねじ孔
(７)開口部
(８)ファスナー
(９)取付け具挿通孔
(10)テーブル
(11)脚
(12)ブラケット
(13)止めねじ
(14)テーブル取付け具
(15)支軸
(16)取付金具
(17)テーブル取付け具
【図１】
0004216389.tif 000002
【図２】
0004216389.tif 000003
【図３】
0004216389.tif 000004